(57)【要約】  【課題】  本発明は，ユーザを分析し，インターネットを介して効果的に広告を行うためのサーバを提供することを目的とする。  【解決手段】  アンケートを表示させる手段と；クライアントの識別情報とアンケート結果とを，前記サーバに入力する手段と；前記アンケート結果に基づいて，クライアントの分類を得て，得られたクライアントの分類を記憶する手段と；前記あらかじめ定められた分類に応じて，クライアントに表示させる広告情報を記憶する手段と；前記クライアントの分類に基づいて，前記クライアントに表示させる広告情報を読み出す手段と；前記クライアントに表示させる広告情報を，前記クライアントへ送信する手段を具備するサーバなどによって解決される。  【選択図】図２
2007293462.tif 000002
【特許請求の範囲】
【請求項１】
ユーザを分析し，インターネットを介して効果的に広告を行うためのサーバであって；
前記サーバにアクセスしたクライアントにアンケートを表示させるための手段と；
前記クライアントから送信された前記ユーザまたはクライアントの識別情報とアンケート結果とを，前記サーバに入力するための手段と；
前記アンケート結果に基づいて，前記ユーザまたはクライアントをあらかじめ定められた分類に分類し，クライアントの分類を得て，得られたクライアントの分類を記憶するための手段と；
前記あらかじめ定められた分類に応じて，クライアントに表示させる広告情報を記憶する手段と；
前記クライアントの分類に基づいて，前記クライアントに表示させる広告情報を読み出す手段と；
前記クライアントに表示させる広告情報を，前記クライアントへ送信する手段と；
を具備し，
前記サーバにアクセスしたクライアントにアンケートを表示させ；
前記クライアントから送信された前記ユーザまたはクライアントの識別情報とアンケート結果とを，前記サーバに入力し；
前記アンケート結果に基づいて，前記ユーザまたはクライアントをあらかじめ定められた分類に分類し，前記クライアントの分類を得て，得られたクライアントの分類を記憶し；
前記クライアントの分類に基づいて，前記クライアントに表示させる広告情報を読み出し；
前記クライアントに表示させる広告情報を，前記クライアントへ送信する；
サーバ。
【請求項２】
前記“アンケート結果に基づいて，前記ユーザまたはクライアントをあらかじめ定められた分類に分類し，前記クライアントの分類を得て，得られたクライアントの分類を記憶するための手段”は；
前記アンケート結果に所定のキーワードが含まれかどうか判断することによって，分類分けを行う
請求項１に記載のサーバ。
【請求項３】
前記広告情報は，バナー情報である請求項１又は２に記載のサーバ。
【請求項４】
前記サーバは，クライアントに映画を表示させる映画情報を記憶し；
前記クライアントに表示させる広告情報を，前記クライアントへ送信する手段は，
前記映画情報を前記クライアントに送信するとともに，前記広告情報を前記クライアントに送信する，
映画情報と，映画情報とともに表示されるクライアントに応じた広告情報を提供できる請求項１〜３のいずれかに記載のサーバ。
【請求項５】
前記サーバは，クライアントに映画を表示させるとともに，前記映画が放映される部位の，横の位置に前記アンケート又は前記広告を表示させるように，前記映画情報，及び，前記アンケート情報又は前記広告情報を，前記クライアントに送信する請求項１〜４のいずれかに記載のサーバ。
【請求項６】
前記サーバは，クライアントに映画を表示させる映画情報を記憶し；
前記サーバは，読み出した分類ごとの広告情報が，所定の時間において放映されるように，前記映画情報の所定の箇所に前記分類ごとの広告情報を配置し，前記映画情報及び前記広告情報を，前記クライアントに送信する請求項１〜３のいずれかに記載のサーバ。
【請求項７】
請求項１〜６のいずれかに記載のサーバと，
前記サーバとインターネットを介して接続される１又は複数のクライアントを含む，
ユーザを分析し，インターネットを介して効果的に広告を行うためのクライアント−サーバシステム。
【発明の詳細な説明】
【技術分野】
【０００１】
本発明は，ユーザを分析し，インターネットを介して効果的に広告を行うためのサーバなどに関する。より詳しく説明すると，ターゲット顧客が得られるネットシネマを放映するとともに，その顧客が関心ある可能性が高い広告を提供できるので，効果的に広告を行うことができるサーバなどに関する。
【背景技術】
【０００２】
インターネットを用いたバナー広告などが盛んに行われている。そして，バナー広告の評価は，一般には，そのバナー広告を掲載したウェブサイトにどの程度のアクセスがあったかにより評価される。
【０００３】
しかしながら，そのようなバナー広告は，サーバ側の一方的な情報提供であり，ユーザの多くは，表示される広告に関心がない。それでは，単に，ウェブサイトへのアクセス数のみ計測しても，バナー広告などの効果を適切に評価できるものではない。また，効果的な広告方法とはいえない。
【０００４】
特開２００５−１４１５００号公報（下記特許文献１）には，会員の趣味趣向に応じて提供する情報を変え、会員毎に有用な情報を提供することができるようにすることを目的とし，「インターネットを介して情報を提供する情報提供システムであって、会員の基本属性データが登録される第１のデータベースと、前記会員が選択した所定のアンケートに対する前記会員の回答を追加属性データとして登録する第２のデータベースと、前記基本属性データ及び前記追加属性データに基づいて会員毎にカスタマイズしたページを生成するページ生成手段と、前記ページ生成手段によって生成された前記ページを前記会員に提供する情報提供手段と、前記基本属性データ及び前記追加属性データに基づいて、各会員をグループ化するグループ化手段と、前記グループ化手段によってグループ化された前記会員同士がコミュニケーションするためのツールを提供するツール提供手段とを備えることを特徴とする情報提供システム」が開示されている（同文献の請求項１）。
【０００５】
しかし，特開２００５−１４１５００号公報（下記特許文献１）に開示された発明は，会員ごとにカスタマイズしたページを生成するようにするものであって，ユーザごとに広告を代えて提供するものではない。また，広告がユーザの目に触れる機会は，ほんの一瞬である場合が多い。
【特許文献１】特開２００５−１４１５００号公報
【発明の開示】
【発明が解決しようとする課題】
【０００６】
本発明は，ユーザを分析し，インターネットを介して効果的に広告を行うためのサーバを提供することを目的とする。
【０００７】
本発明は，ユーザを分析し，インターネットを介して効果的に広告を行うためのサーバクライアントシステムを提供することを目的とする。      
【課題を解決するための手段】
【０００８】
本発明は，基本的には，アンケート結果を回収し，回収したアンケート結果を用いてクライアント又はユーザを分類し，そして，分類に応じたバナー広告を記憶しておき，得られた分類に応じたバナー広告情報をクライアントに提供することで，ユーザの志向に応じた，ふさわしい広告を提供できるという知見に基づくものである。または，映画情報とともにそのような広告を提供することで，長時間にわたりユーザに広告を閲覧させ続けることができるという知見に基づくものである。さらに，インターネット上の広告は，多くの場合，ユーザの目に触れない場合が多いが，ユーザの関心のある広告を映画情報に繰り込むことでユーザに確実に閲覧（縦覧）させることができるという知見に基づくものである。
【０００９】
本発明の第１の側面に係るサーバは，基本的には，ユーザを分析し，インターネットを介して効果的に広告を行うためのサーバであって；前記サーバにアクセスしたクライアントにアンケートを表示させるための手段と；前記クライアントから送信された前記ユーザまたはクライアントの識別情報とアンケート結果とを，前記サーバに入力するための手段と；前記アンケート結果に基づいて，前記ユーザまたはクライアントをあらかじめ定められた分類に分類し，クライアントの分類を得て，得られたクライアントの分類を記憶するための手段と；前記あらかじめ定められた分類に応じて，クライアントに表示させる広告情報を記憶する手段と；前記クライアントの分類に基づいて，前記クライアントに表示させる広告情報を読み出す手段と；前記クライアントに表示させる広告情報を，前記クライアントへ送信する手段と；を具備するサーバに関する。なお，映画情報は，クライアントのモニターなどで表示される動画情報を含むものである。映画情報の放映時間は，特に限定されず，1分以上24時間以内があげられるが，通常は10分〜4時間以内であり，30分〜3時間であってもよい。 
【００１０】
そして，このサーバは，前記サーバにアクセスしたクライアントにアンケートを表示させ；前記クライアントから送信された前記ユーザまたはクライアントの識別情報とアンケート結果とを，前記サーバに入力し；前記アンケート結果に基づいて，前記ユーザまたはクライアントをあらかじめ定められた分類に分類し，前記クライアントの分類を得て，得られたクライアントの分類を記憶する。そして，前記クライアントの分類に基づいて，前記クライアントに表示させる広告情報を読み出し；前記クライアントに表示させる広告情報を，前記クライアントへ送信する。
【００１１】
このように，あらかじめアンケートにより，ユーザ又はクライアントを分類分けしておき，その分類にしたがって，広告情報を提供するので，ユーザの志向に応じたふさわしい広告を提供できる。
【００１２】
前記サーバは，ＣＰＵなどの制御装置；乗算回路，加算回路，テーブルなどの演算装置；ファイル，テーブル，又はデータベースなどの形式で各種情報を記憶する，ＲＡＭ，バッファ，ＣＤ−ＲＯＭ又はハードディスクなどの記憶装置；及びインターフェイスや無線送受信機などの入出力装置を具備するものがあげられる。そして，各要素は，バスなどの導線により接続され，電気信号を授受できるようにされている。
【００１３】
“サーバにアクセスしたクライアントにアンケートを表示させるための手段”は，たとえば，あらかじめアンケートを表示させる情報を記憶装置に記憶させておき，クライアントが所定のサイトにアクセスしたという情報を入手した場合や，所定のサイトにアクセスしたクライアントから所定のボタンをクリックしたなどの情報を入手した場合に，その情報が入出力装置を通して，ＣＰＵに伝えられ，ＣＰＵはその情報に基づいて，ＣＤ−ＲＯＭに格納される制御プログラムを読み出すか，ハードディスクに記憶される制御プログラムを読み出す。そして，ＣＰＵは，その制御プログラムの指令に従って，記憶装置に記憶されるアンケートを表示させるための情報を読み出して，バッファなどに一時的に記憶し，ウェブサイトで一般的に用いられている制御情報などとともにアンケート情報を，入出力装置から出力する。出力された情報を受け取ったクライアントのモニターなどの出力装置は，そのアンケートを表示することとなる。
【００１４】
“クライアントから送信された前記ユーザまたはクライアントの識別情報とアンケート結果とを，前記サーバに入力するための手段”は，クライアントから送信された前記ユーザまたはクライアントの識別情報とアンケート結果とを，前記サーバに入力する。すなわち，クライアントがアンケート結果を出力する際に，インターネットにおいて通常行われると同様に，クライアントの識別情報が必然的に伴う。また，アンケートのユーザに関する質問を加えておき，その回答をユーザの識別情報としてもよい。いずれにせよ，前記したアンケートに対する回答情報が，クライアントに入力され，クライアントに回答情報を送信するよう指示する情報が入力されると，前記クライアントから前記ユーザまたはクライアントの識別情報とアンケート結果に関する情報が出力されるので，サーバの入出力装置は，この情報を受け取り，例えば，ＣＰＵへと，この情報を伝える。
【００１５】
“アンケート結果に基づいて，前記ユーザまたはクライアントをあらかじめ定められた分類に分類し，前記クライアントの分類を得て，得られたクライアントの分類を記憶するための手段”は，アンケート結果に基づいて，前記ユーザまたはクライアントをあらかじめ定められた分類に分類し，前記クライアントの分類を得て，得られたクライアントの分類を記憶する。具体的には，たとえば，ＣＰＵは，制御プログラムの指令を受けて，サーバに入力されたアンケート結果を用いて，所定の分析アルゴリズムにしたがって，ユーザ又はクライアントを分類分けする演算を演算装置に行わせ，その結果をバスなどを介して記憶装置に伝え，記憶装置に記憶させる。なお，最も単純なカテゴリー分けは，回答情報に男性か女性かに関する情報が含まれている場合，その情報が，性別識別信号（０が１０個続くなど）の後に，００又は１１という性別情報が伴っており，これが性別を示す信号として，サーバへ入力されたとする。すると，ＣＰＵは，受け取った情報を演算装置へ伝え，制御プログラムにしたがって，演算装置に性別識別信号を識別させるとともに，その後に続く性別情報を判別させればよい。そして，分類が分けられたら，例えば，ＣＰＵは，演算装置に対して，それぞれの分類に関する情報（たとえば，０と１）に変換するように指示し，記憶装置は，所定のタグなどの性別識別信号（０か５個続くなど）とともに性別に関する情報を付加し，記憶する。
【００１６】
“あらかじめ定められた分類に応じて，クライアントに表示させる広告情報を記憶する手段”は，あらかじめ定められた分類に応じて，クライアントに表示させる広告情報を記憶する。たとえば，サーバの記憶装置には，男性を識別する識別信号と関連させて，男性と判断されたユーザ又はクライアントに送信するための広告情報を記憶し；女性を識別する識別信号と関連させて，女性と判断されたユーザ又はクライアントに送信するための広告情報を記憶する。また，分類がｎ個のカテゴリーであれば，ｎ個のカテゴリーを識別するタグやラベル情報と関連させて，広告に関する情報を記憶させればよい。このような記憶のさせ方は，リレーショナルデータベースなどのデータベースを用いて容易に作成することができる。
【００１７】
“クライアントの分類に基づいて，前記クライアントに表示させる広告情報を読み出す手段”は，クライアントの分類に基づいて，前記クライアントに表示させる広告情報を読み出す。たとえば，上記のとおり，あるユーザ又はクライアントが女性であるという情報は，サーバの記憶装置に格納されているので，ＣＰＵは，前記クライアントからアクセスがあったという情報などを，入出力装置を介して受け取った場合，そのクライアントからの情報に含まれるユーザ又はクライアントの識別情報を用いて，記憶装置に格納されている性別情報などの分類情報を読み出す。そして，ＣＰＵは，例えば，男性又は女性といった分類情報を用いて，記憶装置からその分類情報と関連して記憶される広告情報法を選択的に読み出す。そして，読み出した，前記クライアントに送信される情報を，バッファなどに一時的に記憶する。
【００１８】
“クライアントに表示させる広告情報を，前記クライアントへ送信する手段”は，クライアントに表示させる広告情報を，前記クライアントへ送信する。すなわち，ＣＰＵは，前記のとおり，バッファなどに一時的に記憶された分類と関連して記憶される広告情報を，前記入出力装置から出力する。この際，ＣＰＵは，前記記憶装置に格納された，前記ユーザが用いるクライアントの識別番号，又は分類されたクライアントの識別情報を読み出し，この読み出した情報を用いて，前記広告情報を前記クライアントへ送信する。この広告情報を受け取ったクライアントは，モニターなどの出力装置を用いて，送信された広告情報を表示する。
【００１９】
本発明の第１の側面に係るサーバの好ましい態様は，前記“アンケート結果に基づいて，前記ユーザまたはクライアントをあらかじめ定められた分類に分類し，前記クライアントの分類を得て，得られたクライアントの分類を記憶するための手段”は；前記アンケート結果に所定のキーワードが含まれかどうか判断することによって，分類分けを行う上記に記載のサーバである。
【００２０】
アンケートにキーワードが含まれているかどうかについては，ＣＰＵが，制御プログラムの指令を受けて，記憶装置から所定のキーワードを読み出して，一時的に記憶し，サーバの入出力装置から入力されたアンケート結果（の部分情報）を，一時的に記憶し，記憶されたアンケート結果に，前記キーワードが含まれるかどうかの演算処理を前記演算装置に行わせることで容易に判断を行うことができる。
【００２１】
本発明の第１の側面に係るサーバの好ましい態様は，前記広告情報は，バナー情報である上記いずれかに記載のサーバである。バナー情報は，特定のユーザに閲覧されることが好ましく，そのバナー広告に興味がないユーザにとっては，必要のない情報に過ぎず，バナー広告の広告主にとっても何らメリットがないか，逆に全く興味のないユーザがそのバナー広告を掲載するサイトにアクセスすることで，ウェブサイトのオーナーなどに必要のない費用を支払わなければならない可能性がある。そこで，バナー広告など，については，本発明のサーバを用いて，そのバナー広告にふさわしいユーザに絞った上で，広告情報を提供することが望ましいといえる。
【００２２】
本発明の第１の側面に係るサーバの好ましい態様は，前記サーバは，クライアントに映画を表示させる映画情報を記憶し；前記クライアントに表示させる広告情報を，前記クライアントへ送信する手段は，前記映画情報を前記クライアントに送信するとともに，前記広告情報を前記クライアントに送信する，映画情報と，映画情報とともに表示されるクライアントに応じた広告情報を提供できる上記いずれかに記載のサーバである。
【００２３】
インターネット上で，映画を放映する試みが行われている。一方，劇場用の映画と異なり，インターネット上の映画は，映画以外の要素をディスプレイなどに表示することが容易にできる。また，映画を表示する枠部分などに，バナー広告を表示するようにしても，劇場での映画放映に比べてはるかに違和感がない。
【００２４】
さらに，この態様の好ましい例は，前記広告情報の広告主は，前記映画のスポンサーであり，好ましくは脚本に基づいて，その映画に登場するであろう商品を製造するものである場合である。たとえば，映画の主人公が車に乗るシーンがある場合は，広告主の一つを自動車会社として，映画に車を登場させることで映画自体がその車の宣伝になる。また，その映画を見た，ユーザは，男性など車に興味がある分類のものであれば，映画に登場する車に興味がわくことが自然であるから，その自動車会社のバナー広告が映画情報とともに表示されるので，映画を見ながら（又は映画を見た後で），そのバナー広告からのリンクを用いることで，容易にその車を確認でき，さらには車を購入することになる。
【００２５】
なお，前記広告情報は，映画情報の所定の時間位置に盛り込んで放送するものであってもよい。映画情報は，例えば，広告をスタートするための識別信号が設けられているので，その識別信号に広告情報を割り込ませる形で映画情報に広告情報を盛り込んでもよい。具体的には，サーバは，映画情報を入出力装置から出力し，クライアントに送信する。そして，ＣＰＵは，映画情報を送信するという情報を受けて，ユーザ又はクライアントの分類に応じて記憶した広告情報を読み出し，入出力装置を介して，クライアントへ出力する。そして，その広告情報を出力し終わった後は，映画情報を読み出して，映画情報を，入出力装置を介して，クライアントへ出力する。このようにして，クライアントに映画が放映される前に，そのクライアントに応じた広告情報がモニターなどに出力され，放映されてもよい。また，映画情報を送信し，放映期間の途中又は放映時間の後に広告情報を出力してもよい。具体的には，映画情報には，所定の広告時間識別信号が盛り込まれており，そのような広告時間識別信号を受けたＣＰＵは，制御プログラムを読み出して，制御プログラムの指令に従って，記憶装置に記憶されたクライアントごとの広告情報を読み出して，入出力装置から出力することで，クライアントに前記広告情報を出力すればよい。また，サーバにおいて，記憶装置に記憶されたクライアントごとの広告情報を読み出して，それを映画情報の所定の位置（個の位置は広告時間識別信号により識別可能とされてもよい）に入れ込んで，広告情報を含む映画情報を記憶装置に記憶させ，入出力装置を介して，広告情報を含む映画情報を出力してもよい。また，放映される映画情報の所定の位置に，広告情報を盛り込んでクライアントへ向けて出力してもよい。
【００２６】
本発明の第１の側面に係るサーバの好ましい態様は，前記サーバは，クライアントに映画を表示させるとともに，前記映画が放映される部位の，横の位置に前記アンケート又は前記広告を表示させるように，前記映画情報，及び，前記アンケート情報又は前記広告情報を，前記クライアントに送信する上記いずれかに記載のサーバである。アンケートの表示される位置，又は広告が表示される位置が，映画が放映される位置の横（好ましくは右横）にあれば，例えば，映画を見ながらアンケートに答えることができ，情報のやり取りを，効果的にリアルタイムで行うことができることとなる。また，映画は，比較的長い間ユーザの閲覧に供される。したがって，ネットシネマとともに広告を行うことで，瞬間ではなく長時間にわたりユーザに閲覧され，ユーザの記憶に残りやすい効果的な広告を行う事ができることとなる。そして，リアルタイムで送受信されたアンケート結果に応じて，広告情報を変化させてもよい。
【００２７】
本発明の第１の側面に係るサーバの好ましい態様は，前記サーバは，クライアントに映画を表示させる映画情報を記憶し；前記サーバは，読み出した分類ごとの広告情報が，所定の時間において放映されるように，前記映画情報の所定の箇所に前記分類ごとの広告情報を配置し，前記映画情報及び前記広告情報を，前記クライアントに送信する請求項１〜３のいずれかに記載のサーバである。通常の映画では，ある広告を含む予め決められた情報が連続的に放映されることとなる。しかし，その広告は，映画を見るものにとって興味のないものかもしれない。そこで，この態様に係るサーバでは，ユーザの関心の高いであろう広告（静止画情報であってもよいし，動画情報であってもよい）を，分類に応じて読み出して，映画の広告時間にそれらが放映されるように，映画情報に割り込み記憶し，所定の時間に広告情報が放映されるようにプログラムされた映画情報を，クライアントへ送信すればよい。また，映画情報が送信されるあるタイミングで，サーバに記憶される分類に応じた広告情報が読み出されて，クライアントへ送信され，前記広告情報の送信が終わった後に，続きの映画情報がサーバの記憶装置から読み出されて，クライアントへ送信されるようにしてもよい。
【００２８】
本発明の第２の側面に係るクライアント−サーバシステムは，上記いずれかに記載のサーバと，前記サーバとインターネットを介して接続される１又は複数のクライアントを含む，ユーザを分析し，インターネットを介して効果的に広告を行うためのクライアント−サーバシステムである。
【００２９】
このクライアント−サーバシステムは，上記したサーバを具備するものなので，ユーザを分析し，インターネットを介して効果的に広告を行うことができる。
【発明の効果】
【００３０】
本発明によれば，ユーザを分析し，インターネットを介して効果的に広告を行うためのサーバを提供することができる。特に，映画情報とともに，ユーザ（またはクライアント）に応じた広告を表示させるように，サーバから送信される情報を制御することで，ユーザに長時間広告を閲覧させ，広告の効果を高めることができる。また，サーバは，ユーザに応じた広告を，映画情報に盛り込むように調整して，クライアントに送信するので，ユーザに応じた広告情報を含む映画をユーザに閲覧させ，広告の効果を高めることができることとなる。
【００３１】
本発明によれば，ユーザを分析し，インターネットを介して効果的に広告を行うためのクライアント−サーバシステムを提供することができる。特に，映画情報とともに，ユーザ（またはクライアント）に応じた広告を表示させるように，サーバから送信される情報を制御することで，ユーザに長時間広告を閲覧させ，広告の効果を高めることができる。また，サーバは，ユーザに応じた広告を，映画情報に盛り込むように調整して，クライアントに送信するので，ユーザに応じた広告情報を含む映画をユーザに閲覧させ，広告の効果を高めることができることとなる。
【発明を実施するための最良の形態】
【００３２】
以下，図面を用いて，本発明のサーバ及びクライアント−サーバシステムを具体的に説明する。なお，本発明は，後述する実施例に限定されるものではない。
【実施例１】
【００３３】
図１は，本発明のクライアント−サーバシステムの概念図である。図１に示されるように，本発明のサーバ(1)は，インターネット(2)を通じて，複数のクライアント(3)と接続され，情報の授受ができるようにされている。各クライアント，及びサーバは，コンピュータやワークステーションを適宜用いることができる。そして，サーバは，基本的には，ＣＤ−ＲＯＭやハードディスクなどに，制御プログラムを記憶し，読み出し可能としている。そして，サーバ及びクライアントは，モニタ，ポインティングデバイス，及びインターフェイスなどの入出力装置；ＣＰＵなどの制御装置；加算器，乗算器などの演算装置；バッファ，ＲＡＭ，ＣＤ−ＲＯＭ，ハードディスクなどの記憶装置を具備している。そして，ＣＰＵは，ポインティングデバイスやインターフェイスなどからの入力を受けて，ＣＤ−ＲＯＭなどから，所定の制御情報を読み出し，読み出した制御プログラムの指示に従って，記憶装置に記憶された各種情報を読み出すとともに，記憶装置のメモリ空間などを適宜利用して，演算装置などで各種の演算を行い，その結果を記憶装置に記憶するとともに，入出力装置を用いて出力する。
【００３４】
図２は，本発明のサーバにより提供され，クライアントに表示される画面の例を示す概念図である。図２に示されるように，クライアントに表示される画面の例として，映画情報が放映される映画放映部分(11)と；例えば，前記映画放映部分の右横（又は左横）に位置する，アンケート，各種リンク情報，放映される映画の種類を選択する情報などが表示される各種情報表示部分(12)と；例えば，各種情報表示部分(12)の右横（又は左横，又は前記映画放映部分の右横又は左横）に位置する第1の広告部分(13)；前記映画放映部分の下方に位置する第2の広告部分(14)；及び前記映画放映部分の上方に位置するリンク部分(15)を具備する。映画放映部分(11)以外は，任意であり，特に広告部分は1箇所でもよいし，2箇所以上でもよい。
【００３５】
上記のサーバから送信される映画情報が，映画放映部分(11)において放映される。また，上記サーバから送信される分類に応じた広告情報（これは静止画であっても，動画であってもよい）が，広告部分(13,14)で表示される。また，分類に応じた広告情報は，映画放映部分(11)において放映されてもよい。なお，これらの広告のうちいくつかは，分類に応じたものでなくてもかまわない。
【００３６】
各種情報表示部分(12)には，後述するアンケートが表示されるように，サーバから情報が送信される。また，アンケートを表示させる以外のシーンでは，例えば，各種のリンク情報や，放映される映画の種類を選択する情報などが表示されるように，サーバから情報が送信される。そして，放映される映画の種類が選択された場合，その選択された映画の種類に関する情報がクライアントから，サーバへ送信され，サーバは受信した映画の種類の情報に基づいて，記憶装置に記憶される映画情報を読み出し，適宜広告情報を追加するなどの演算処理を行った後，クライアントへ映画情報を送信する。
【００３７】
第1の広告部分(13)及び第2の広告部分(14)のいずれか，又は両方には，前記サーバにおいて分類に応じて選択された広告情報が表示される。すなわち，サーバは，それらの部分に分類に応じた広告情報が表示されるように，情報を送信する。
【００３８】
図３は，アンケートの例を示す概念図である。そして，アンケートに表示される各種質問から回答が入力された場合，前記ユーザまたはクライアントの識別情報（ユーザＩＤや，メールアドレス，機種情報，ＩＰ情報など）とアンケート結果とが，クライアントから送信される。そして，送信されたそれらの情報は，サーバのインターフェイスなどの入出力装置を介して，サーバに入力される。入力された情報は，記憶装置に記憶される。この際，たとえば，ユーザＩＤなどの識別情報と関連して，アンケート結果などが分類されて記憶されるものが好ましい。サーバは，前記アンケート結果に基づいて，ユーザを分類する。たとえば，アンケート結果情報に性別が男性又は女性という結果が含まれていれば，男性又は女性に関する分類情報を前記識別情報に付加して記憶する。さらに，所定のアルゴリズムにしたがって，前記ユーザまたはクライアントをあらかじめ定められた分類に分類し，前記識別情報に付加して記憶する。この際，ユーザに質問をさせて，文章を入力させ，文章がクライアントから送信された場合に，サーバはその文章情報を受け取って，その文章に含まれる「。」の数を計算する演算を行い，その求められた数に応じて，ユーザを分類分けし，その分類を識別情報に付加して記憶してもよい。「。」の数を計算するので，ユーザの先入観を排除し，回答者の性格に応じた分類分けを，コンピュータを用いて容易に行うことができる。
【００３９】
図４は，サーバの記憶装置に格納される分類と，分類に関連して記憶される広告を示す概念図である。図４（ａ）は，分類が２種類のものを示し，図４（ｂ）は，分類が複数種類のものを示す図である。なお，図中Ｆｉｇ．は図を意味し，以下同様である。図４に示されるように，データベースなどの記憶装置(21)には，例えば，テーブルやリレーショナルデータベースが形成されている。そして，記憶装置(21)には，分類と関連して広告が記憶されている。図４（ａ）に示されるように，ある分類に関連して，それぞれ異なる広告情報が記憶されてもよい。また，図４（ｂ）に示されるように，いくつかの分類に共通するように広告情報が記憶されてもよい。
【００４０】
そして，サーバは，識別情報に付加して記憶されたクライアントの分類を記憶装置から読み出すとともに，前記クライアントの分類と関連する広告の種類に関する情報を読み出し，その広告の種類に関する情報を用いて，記憶装置に記憶される広告情報を読み出す。そのクライアントの分類が女性であれば，広告Ａという種類情報を読み出し，広告Ａに関する広告情報を記憶装置から読み出せばよい。
【００４１】
そして，サーバは，たとえば識別情報を用いてクライアントを特定し，読み出した広告情報を，そのクライアントへ送信する。すると，クライアントは広告情報を受信して，たとえば，図２の第1の広告部分(13)に広告情報が表示される。
【００４２】
本発明の第１の側面に係るサーバの好ましい態様は，前記サーバは，クライアントに映画を表示させる映画情報を記憶し；前記クライアントに表示させる広告情報を，前記クライアントへ送信する手段は，前記映画情報を前記クライアントに送信するとともに，前記広告情報を前記クライアントに送信する，映画情報と，映画情報とともに表示されるクライアントに応じた広告情報を提供できる上記いずれかに記載のサーバである。そして，映画情報は，たとえば図２の映画放映部分(11)において放映される。映画が放映されるとともに，図２の第1の広告部分(13)などに広告情報が表示されることとなる。
【００４３】
本発明の第１の側面に係るサーバの好ましい態様は，前記サーバは，クライアントに映画を表示させる映画情報を記憶し；前記サーバは，読み出した分類ごとの広告情報が，所定の時間において放映されるように，前記映画情報の所定の箇所に前記分類ごとの広告情報を配置し，前記映画情報及び前記広告情報を，前記クライアントに送信する請求項１〜３のいずれかに記載のサーバである。
【００４４】
図５は，映画情報と広告情報の時間的関係を示す概念図である。図5(a)は，時間配分の例を示し；図5(b)は，複数の広告時間に同種類の広告が挿入されたものを示し；図5(c)は，複数の広告時間に異なる種類の広告が挿入されたものを示し；図5(d)は，映画の本編の途中にも広告が挿入されるものを示す。
【００４５】
図５に示されるように，映画の放映時間は，例えば，前編(31)，第1の広告時間(32)，本編(33)及び第2の広告時間(34)を含み，それらの広告時間には，クライアントの分類に応じた広告が放映されるように制御されればよい。図5(b)に示されるように，複数の広告時間に同種類の広告が挿入されてもよい。また，図5(c)に示されるように，複数の広告時間に異なる種類の広告が挿入されてもよい。図5(d)に示されるように，映画の本編の途中にも広告が挿入されてもよい。
【００４６】
サーバは，映画情報を記憶装置から読み出すとともに，クライアントの分類に基づいて記憶装置から広告情報を読み出して，前記読み出した映画情報の所定の箇所（この箇所はたとえば，フラグやタグなどで識別できるようにされていればよい）に，前記読み出した広告情報を挿入することで，映画の広告時間に読み出した広告が放映されるように，映画情報に割り込ませる演算を行う。そして，そのようにクライアントの分類に基づく広告情報が挿入された映画情報を，記憶装置に記憶する。このように，所定の時間に広告が放映されるようにプログラムされた映画情報を，ユーザの識別情報などを用いて，クライアントへ送信する。なお，映画情報が送信されるあるタイミングで，サーバに記憶される分類に応じた広告情報が読み出されて，クライアントへ送信され，前記広告情報の送信が終わった後に，続きの映画情報がサーバの記憶装置から読み出されて，クライアントへ送信されるようにしてもよい。このようにすれば，所定の時間にユーザごとの広告が放映されることとなる。もちろん，各種類の広告は，放映時間が異なっていてもよい。
【産業上の利用可能性】
【００４７】
本発明は，インターネットを用いた情報提供産業などにおいて好ましく用いられる。特に，インターネットを用いた映画配信などのエンターテイメントの分野において好ましく用いられる。
【図面の簡単な説明】
【００４８】
【図１】図１は，本発明のクライアント−サーバシステムの概念図である。
【図２】図２は，本発明のサーバにより提供され，クライアントに表示される画面の例を示す概念図である
【図３】図３は，アンケートの例を示す概念図である。
【図４】図４は，サーバの記憶装置に格納される分類と，分類に関連して記憶される広告を示す概念図である。図４（ａ）は，分類が２種類のものを示し，図４（ｂ）は，分類が複数種類のものを示す図である。
【図５】図５は，映画情報と広告情報の時間的関係を示す概念図である。図5(a)は，時間配分の例を示し；図5(b)は，複数の広告時間に同種類の広告が挿入されたものを示し；図5(c)は，複数の広告時間に異なる種類の広告が挿入されたものを示し；図5(d)は，映画の本編の途中にも広告が挿入されるものを示す。
【符号の説明】
【００４９】
１１  映画放映部分
１２  各種情報表示部分
１３  第1の広告部分
１４  第2の広告部分
１５  リンク部分
【図１】
2007293462.tif 000003
【図２】
2007293462.tif 000004
【図３】
2007293462.tif 000005
【図４】
2007293462.tif 000006
【図５】
2007293462.tif 000007